(57)【要約】      （修正有）【課題】引張り、伸び及び硬化状態の低電圧絶縁性を維持しながら、低温柔軟性を有するシラン架橋可能なポリオレフィンを含む、シラン系の水分硬化性ポリマー樹脂組成物の提供。【解決手段】ポリマーの総重量に基づいて少なくとも６０重量パーセントの少なくとも１つのシラン架橋可能なポリオレフィン樹脂と、約０．８９ｇ／ｃｍ３以下の密度、及び、約５０ｇ／１０分よりも小さいメルトインデックスを有し、少なくとも１つのメタロセン触媒を使用して調製されている、ポリマーの総重量に基づいて約４０重量パーセントまでの少なくとも１つのポリオレフィンエラストマー樹脂とを含む組成物。前記シラン架橋可能なポリオレフィンポリマーがエチレンとビニルトリメトキシシランの共重合体である組成物。【選択図】なし【特許請求の範囲】
【請求項１】
ポリマー樹脂の総重量に基づいて少なくとも約６０重量パーセントの少なくとも１つの
シラン架橋可能なポリオレフィンポリマー樹脂と、
約０．８９ｇ／ｃｍ３以下の密度と、約５０ｇ／１０分よりも小さいメルトインデック
ス（Ｉ２）とを有し、少なくとも１つのメタロセン触媒を使用して調製されている、ポリ
マーの総重量に基づいて約４０重量パーセントまでの量で存在する少なくとも１つのポリ
オレフィンポリマーエラストマー樹脂とを含む、組成物。
【請求項２】
前記シラン架橋可能なポリオレフィンポリマーが、エチレンと、ビニルシランコモノマ
ーとのコポリマーである、請求項１に記載の組成物。
【請求項３】
前記シラン架橋可能なポリオレフィンポリマーがエチレン−ビニルトリメトキシシラン
のコポリマーである、請求項１に記載の組成物。
【請求項４】
前記ポリオレフィンポリマーエラストマー樹脂が、前記ポリマーの総重量に基づいて少
なくとも２０重量パーセントの量で存在する、請求項１に記載の組成物。
【請求項５】
前記ポリオレフィンポリマーエラストマー樹脂が、前記ポリマーの総重量に基づいて少
なくとも３０重量パーセントの量で存在する、請求項１に記載の組成物。
【請求項６】
前記ポリオレフィンポリマーエラストマー樹脂が、前記ポリマーの総重量に基づいて約
４０重量パーセントの量で存在する、請求項１に記載の組成物。
【請求項７】
前記ポリオレフィンポリマーエラストマー樹脂が約０．８８５ｇ／ｃｍ３以下の密度を
有する、請求項１に記載の組成物。
【請求項８】
前記ポリオレフィンポリマーエラストマー樹脂が約１／１０分〜約４０／１０分の間で
のメルトインデックス（Ｉ２）を有する、請求項１に記載の組成物。
【請求項９】
前記ポリオレフィンポリマーエラストマー樹脂が約１／１０分〜約３０／１０分の間で
のメルトインデックス（Ｉ２）を有する、請求項１に記載の組成物。
【請求項１０】
フィラー、難燃剤、顔料、酸化防止剤及び触媒の少なくとも１つをさらに含む、請求項
１に記載の組成物。
【請求項１１】
導電性コアと、
絶縁材が、ポリマー樹脂の総重量に基づいて少なくとも約６０重量パーセントの少なく
とも１つのシラン架橋可能なポリオレフィンポリマー樹脂と、約０．８９ｇ／ｃｍ３以下
の密度、及び、約５０ｇ／１０分よりも小さいメルトインデックス（Ｉ２）を有し、少な
くとも１つのメタロセン触媒を使用して調製されている、ポリマーの総重量に基づいて約
４０重量パーセントまでの少なくとも１つのポリオレフィンポリマーエラストマー樹脂と
を含む組成物を含む、導電性コアの外側における絶縁材の層とを含む、ケーブル。
【請求項１２】
前記シラン架橋可能なポリオレフィンポリマーが、エチレンと、ビニルシランコモノマ
ーとのコポリマーである、請求項１１に記載のケーブル。
【請求項１３】
前記組成物のシラン架橋可能なポリオレフィンポリマーがエチレン−ビニルトリメトキ
シシランのコポリマーである、請求項１１に記載のケーブル。
【請求項１４】
前記組成物のポリオレフィンポリマーエラストマー樹脂が、前記ポリマーの総重量に基
づいて少なくとも２０重量パーセントの量で存在する、請求項１１に記載のケーブル。
【請求項１５】
前記組成物のポリオレフィンポリマーエラストマー樹脂が、前記ポリマーの総重量に基
づいて少なくとも３０重量パーセントの量で存在する、請求項１１に記載のケーブル。
【請求項１６】
前記組成物のポリオレフィンポリマーエラストマー樹脂が、前記ポリマーの総重量に基
づいて約４０重量パーセントの量で存在する、請求項１１に記載のケーブル。
【請求項１７】
前記組成物のポリオレフィンポリマーエラストマー樹脂が約０．８８５ｇ／ｃｍ３以下
の密度を有する、請求項１１に記載のケーブル。
【請求項１８】
前記組成物のポリオレフィンポリマーエラストマー樹脂が約１ｇ／１０分〜約４０ｇ／
１０分の間でのメルトインデックス（Ｉ２）を有する、請求項１１に記載のケーブル。
【請求項１９】
前記組成物のポリオレフィンポリマーエラストマー樹脂が約１ｇ／１０分〜約３０ｇ／
１０分の間でのメルトインデックス（Ｉ２）を有する、請求項１１に記載のケーブル。
【請求項２０】
前記組成物が、フィラー、難燃剤、顔料、酸化防止剤及び触媒の少なくとも１つをさら
に含む、請求項１１に記載のケーブル。
【発明の詳細な説明】
【技術分野】
【０００１】
発明の属する技術分野
本発明は、一般には、シラン系の水分硬化性ポリマー樹脂組成物に関し、より具体的に
は、増大した低温柔軟性を有するそのような組成物に関する。
【０００２】
発明の背景
ポリエチレンにより絶縁された低電圧ケーブルの大部分は、ポリエチレン鎖に結合する
アルコキシシランが加水分解され、その後、好適な触媒の影響下で硬化する水分硬化プロ
セスによって硬化又は架橋される。このアルコキシシランは２つの方法によってポリエチ
レン鎖に結合させることができる。ビニルトリアルコキシシランが、シランコポリマーを
得るためにエチレンと共重合されられるか、又は、ビニルアルコキシシランが、過酸化物
により開始される反応押出しによって、ポリエチレン、すなわち、ポリマー骨格にグラフ
ト化されるかのどちらかである。
【０００３】
前者の場合には、得られるコポリマーはＬＤＰＥに類似しており、半硬質の絶縁材（約
２００ＭＰａの曲げ弾性率）である。第２の場合には、より柔軟な樹脂システムを、エラ
ストマーを反応押出し工程の期間中にそのようなポリエチレンと混合することによって作
製することができる。しかしながら、特別な押出し設備（例えば、シラン計量供給設備、
設計されたバリアスクリューなど）が、ラジカルグラフト化プロセスを首尾良く行うため
に必要となる。加えて、過酸化物又は他のフリーラジカル供給源の存在下で分解又は開裂
するエラストマーは使用することができない。さらに、既存の水分硬化樹脂は、例えば、
冬季の屋外使用では遭遇され得るように、低温において脆くなる傾向、又は、曲がりにく
くなる傾向がある。
【０００４】
従って、引張り、伸び及び硬化状態の、低電圧絶縁のための目標特性を特に低温におい
て依然として満たす、柔軟性が改善されたシラン架橋可能なポリオレフィンを調製するた
めの簡便なプロセスが依然として求められている。
【０００５】
発明の概要
１つの態様において、本発明は、（１）ポリマー樹脂の総重量に基づいて少なくとも約
６０重量パーセントの少なくとも１つのシラン架橋可能なポリオレフィンポリマー樹脂と
、（２）約０．８９ｇ／ｃｍ３以下の密度、及び、約５０ｇ／１０分よりも小さいメルト
インデックス（Ｉ２）を有し、少なくとも１つのメタロセン触媒を使用して調製されてい
る、ポリマーの総重量に基づいて約４０重量パーセントまでの少なくとも１つのポリオレ
フィンポリマーエラストマー樹脂とを含む組成物である。
【０００６】
別の態様において、本発明は、（１）導電性コアと、（２）導電性コアの外側における
絶縁材の層とを含むケーブルであり、但し、絶縁材は、（ａ）ポリマー樹脂の総重量に基
づいて少なくとも約６０重量パーセントの少なくとも１つのシラン架橋可能なポリオレフ
ィンポリマー樹脂と、（ｂ）約０．８９ｇ／ｃｍ３以下の密度、及び、約５０ｇ１０分よ
りも小さいメルトインデックス（Ｉ２）を有し、少なくとも１つのメタロセン触媒を使用
して調製されている、ポリマーの総重量に基づいて約４０重量パーセントまでの少なくと
も１つのポリオレフィンポリマーエラストマー樹脂とを含む組成物を含む。
【０００７】
発明の詳細な説明
驚くべきことに、非改質の、メタロセン触媒によるポリオレフィンエラストマーを４０
％までシラン官能化ポリマーに単に混合し、その後、水分硬化させることにより、熱間硬
化、引張り及び伸びの、低電圧絶縁のための目標値を満たす、大きく改善された柔軟性（
およそ１００ＭＰａの曲げ弾性率）を有するシラン硬化したブレンド配合物がもたらされ
る。添加されたエラストマーは、ネットワーク形成を助けることができる架橋可能基又は
官能基を何ら含有しないので、このことは驚くべきことである。
【０００８】
シラン官能基を有する様々な水分硬化性ポリマーが当分野では周知である。そのような
ポリマーは、ビニルシランモノマーとの共重合によるか、又は、シラン含有分子をポリマ
ー鎖の骨格にグラフト化するための多くの方法の１つによるかのどちらかによって作製す
ることができる。そのような技術の例が、米国特許第３，６４６，１５５号、同第６，４
２０，４８５号、同第６，３３１，５９７号、同第３，２２５，０１８号又は同第４，５
７４，１３３号に開示される（これらのすべてが参照により本明細書に組み込まれる）。
シラン官能基を有するポリマーもまた市販されている。例えば、Ｄｏｗ  Ｃｈｅｍｉｃａ
ｌ  Ｃｏ．から入手可能なＳＩ−ＬＩＮＫ（商標）エチレン−ビニルトリメトキシシラン
コポリマー、又は、Ｂｏｒｅａｌｉｓから入手可能なＶＩＳＩＣＯ（商標）ポリマー。
【０００９】
本発明において使用可能であるシラン官能化ポリマーは、好ましくは縮合触媒（これは
また、本明細書中では「水分硬化」触媒と呼ばれる）の存在下において、水（水分）との
接触又は水（水分）への暴露によって硬化させることができる。好適な触媒には、金属カ
ルボキシレート、例えば、ジブチルスズジラウレート、オクタン酸第一スズ、酢酸第一ス
ズ、ナフテン酸鉛及びオクタン酸亜鉛など；有機金属化合物、例えば、チタンのエステル
及びキレートなど、例えば、テトラブチルチタナートなど；有機塩基、例えば、エチルア
ミン、ヘキシルアミン及びピペリジンなど；並びに、酸、例えば、鉱酸及び脂肪酸などが
含まれる。周囲型又は促進型の硬化システムでは、典型的には、速く作用する縮合触媒が
使用され、例えば、芳香族スルホン酸などが使用される。好ましい触媒が、有機スズ化合
物、例えば、ジブチルスズジラウレート、ジブチルジメトキシスズ、ジブチルスズビス（
２，４−ペンタンジオナート）、オクタン酸第一スズなど、並びに、芳香族スルホン酸で
ある。様々なそのような水分硬化縮合触媒及び水分硬化縮合触媒システムが容易に商業的
に入手可能である。マスターバッチ形態での好適な市販触媒の例には、限定されないが、
ＤＦＤＢ５４８０ＮＴ（スズ触媒システム）、ＤＦＤＡ５４８８ＮＴ（高速周囲型硬化触
媒マスターバッチ）（これらは、ＤＯＷ  Ｐｌａｓｔｉｃｓから得られる）、又は、Ｂｏ
ｒｅａｌｉｓ  ＡＭＢＩＣＡＴ（商標）システムＬＥ４４７６が含まれる。
【００１０】
シラン官能化ポリマーを硬化させるために十分な触媒量は、一般には、選択された具体
的なタイプに依存し、しかし、好ましくは、シランポリマーの１００重量部あたり約０．
０１重量部〜０．１重量部の範囲である。上記のような市販のポリマーマスターバッチの
形態で添加されるならば、触媒マスターバッチは、９５部のシランコポリマーに対して５
部の比率で添加される。
【００１１】
水分硬化を、蒸気チャンバー、連続蒸気加硫トンネル、熱水サウナにおいて行うことが
でき、或いは、単に、空気への暴露によって（周囲型硬化）、又は、何らかの他の好都合
な手段によって行うことができる。水分硬化の前に、シラン官能化ポリマーは、低密度の
メタロセン系ポリオレフィンエラストマーと混合される（架橋された柔軟な化合物をもた
らす特定の組合せ）。典型的には、そのようなポリオレフィンエラストマーはエチレンコ
ポリマーである。これらのポリオレフィンエラストマーは密度が約０．８９ｇ／ｃｍ３以
下であるべきであり、より好ましくは約０．８８５ｇ／ｃｍ３以下であるべきである。本
明細書及び請求項におけるすべてのポリマー密度の値は、ＡＳＴＭ  Ｄ−７９２によって
測定される通りである。好ましくは、ポリオレフィンエラストマーはメルトインデックス
（Ｉ２）が約５０ｇ／１０分よりも小さく、より好ましくは約１／１０分〜約４０／１０
分の間であり、より好ましくは約１／１０分〜約３０／１０分の間である。本明細書及び
請求項におけるすべてのメルトインデックスは、ＡＳＴＭ  Ｄ−１２３８の条件：１９０
Ｃ／２．１６ｋｇによって測定される通りである。
【００１２】
ポリオレフィンエラストマーは、好ましくは、組成物におけるポリマー樹脂の総重量の
少なくとも約２０重量パーセント、より好ましくは、少なくとも約３０重量パーセント、
最も好ましくは、約４０重量パーセントを含む。
【００１３】
ポリオレフィンエラストマーは少なくとも１つのメタロセン触媒により調製される。エ
ラストマー樹脂はまた、２つ以上のメタロセン触媒により調製され得るか、又は、異なる
メタロセン触媒により調製される多数のエラストマー樹脂のブレンド配合物であり得る。
いくつかの態様において、エラストマーは、実質的に線状のエチレンポリマー（ＳＬＥＰ
）である。様々なＳＬＥＰ及び他のメタロセン触媒エラストマーが当分野では公知である
（例えば、米国特許第５，２７２，２３６号、これは参照により本明細書に組み込まれる
）。これらのエラストマー樹脂もまた市販されている。例えば、Ｄｏｗ  Ｃｈｅｍｉｃａ
ｌ  Ｃｏ．から入手可能なＥＮＧＡＧＥ（商標）エラストマー樹脂、又は、Ｅｘｘｏｎか
ら入手可能なＥＸＡＣＴ（商標）ポリマー、又は、Ｍｉｔｓｕｉ  Ｃｈｅｍｉｃａｌｓか
ら入手可能なＴＡＦＭＥＲ（商標）ポリマー。
【００１４】
いくつかの態様において、ポリオレフィンエラストマーはシラン官能化ポリマーと非相
容性（すなわち、不混和性）であるべきである。このことは、ラジカルグラフト化プロセ
スに依るか、又は、相互に相容性である結晶性ポリエチレンとのシランコポリマーの被覆
ブレンド配合物に依るかのどちらかである従来技術のシステムとは対照的である。本発明
者らは、シランコポリマー及びポリオレフィンエラストマーが非相容性であることにより
、シランコポリマーは、大きい量（４０％程度までの量）のエラストマーが存在する場合
でさえ、架橋されたネットワークを依然として形成することが可能であることを推測する
。結果として、最終的なブレンド配合物は、優れた硬化性能、機械的特性及び柔軟性を有
する。
【００１５】
組成物は他の難燃剤及びフィラーを含有することができ、これらには、金属水和物（例
えば、三水酸化アルミニウム及び水酸化マグネシウムなど）、タルク、炭酸カルシウム、
有機粘土、ガラス繊維、大理石微粉、セメント微粉、長石、シリカ又はガラス、ヒューム
ドシリカ、ケイ酸塩、アルミナ、様々なリン化合物、臭化アンモニウム、三酸化アンチモ
ン、三酸化アンチモン、酸化亜鉛、ホウ酸亜鉛、硫酸バリウム、シリコーン、ケイ酸アル
ミニウム、ケイ酸カルシウム、チタン酸化物、ガラスミクロスフェア、チョーク、雲母、
粘土、ケイ灰石、八モリブデン酸アンモニウム、膨張性化合物、膨張性黒鉛、及び、それ
らの混合物が含まれる。フィラーは様々な表面被覆又は表面処理（例えば、シラン及び脂
肪酸など）を含有することができる。ハロゲン化炭化水素（例えば、塩素化パラフィンな
ど）、ハロゲン化芳香族化合物（例えば、ペンタブロモトルエン、デカブロモジフェニル
オキシド、デカブロモジフェニルエタン、エチレン−ビス（テトラブロモフタルイミド）
など）、デクロラン・プラス（dechlorane plus）及び他のハロゲン含有難燃剤を始めと
するハロゲン化有機化合物。当業者は、組成物の所望される性能に依存して、適切なハロ
ゲン剤を認識し、選択する。組成物はさらに、様々な他の添加剤を含むことができる。過
酸化物及びフリーラジカル開始剤を、樹脂を架橋するために加えることができる。加えて
、顔料及びフィラーを、所望されるように加えることができる。
【００１６】
組成物は、他の添加剤を、例えば、酸化防止剤（例えば、ヒンダードフェノール（例え
ば、ＩＲＧＡＮＯＸ（商標）１０１０（ＣｉｂａＳｐｅｃｉａｌｔｙ  Ｃｈｅｍｉｃａｌ
ｓの登録商標）など）、ホスファイト（例えば、ＩＲＧＡＦＯＳ（商標）１６８、Ｃｉｂ
ａＳｐｅｃｉａｌｔｙ  Ｃｈｅｍｉｃａｌｓの登録商標））、Ｕ．Ｖ．安定剤、粘着性添
加剤、光安定剤（例えば、ヒンダードアミンなど）、可塑剤（例えば、ジオクチルフタレ
ート又はエポキシ化ダイズ油など）、熱安定剤、離型剤、粘着付与剤（例えば、炭化水素
系粘着付与剤など）、ワックス（例えば、ポリエチレンワックスなど）、加工助剤（例え
ば、オイル、有機酸（例えば、ステアリン酸など）、有機酸の金属塩など）、架橋剤（例
えば、過酸化物又はシランなど）、着色剤又は顔料などを、本発明の組成物の所望される
物理的特性又は機械的特性、及び、他の難燃性添加剤を妨害しない程度に含有することが
できる。上記の添加剤は、当業者には公知である機能的に等価な量で用いられ、一般には
、組成物の総重量に基づいて約６５重量パーセントまでの量で用いられる。
【００１７】
本発明の組成物は、個々の成分及び添加剤を単に乾式混合又は溶融混合することによっ
て作製することができる。便宜上、構成成分のいくつかは、例えば、溶融加工などによっ
て、マスターバッチに予備混合することができる。そのようなマスターバッチは、構成成
分の均一な分散を助けること、及び、最終使用者の施設において混合する必要がある成分
の数を最小限に抑えることにおいて有用である。
【００１８】
本発明の組成物は、当分野において公知であるいずれかの好適な手段によって製造品に
加工することができる。例えば、組成物は、公知のプロセスによって、例えば、カレンダ
ー加工プロセス、ブロー成形プロセス、流し込み成形プロセス又は（共）押出しプロセス
などによって、フィルム又はシートに、或いは、多層化された構造物の１つ又はそれ以上
の層に加工することができる。射出成形、圧縮成形、押出し成形又はブロー成形による部
品もまた、本発明の組成物から調製することができる。代替では、組成物はフォーム又は
繊維に加工することができ、或いは、ワイヤ及びケーブルの被覆物（例えば、外皮及び絶
縁材など）に押出し成形することができる。
【実施例】
【００１９】
エラストマー樹脂と、シラン架橋可能なポリマー樹脂との１２個のサンプル（Ｅｘ．１
〜Ｅｘ．１２）を、表１に示される配合により作製した。エラストマー樹脂を含まないシ
ラン架橋可能なポリマー樹脂だけの比較用サンプル（Ｃ．Ｓ．Ａ．）もまた、表１に示さ
れるように調製した。これらのサンプルを、小さい密閉式ミキサーを使用して、これら３
つの成分を、合計で１０分間、１６０℃で混合することによって調製した。混合された組
成物は、その後、厚さ２ｍｍのプレートに直ちに圧縮された。
【００２０】
硬化及び硬化速度手順：プレートを、６０Ｃ及び記された硬化時間で、湯浴に直ちに入
れる。仕様に従った０．２ＭＰａの荷重による２００℃での熱間硬化性能を湯浴における
硬化時間の関数として測定する。
【００２１】
試験手順：完全硬化サンプル（すなわち、熱間硬化が最小値であるとき）に対して、引
張り係数及び曲げ弾性率の特性を測定する。結果が下記の表２にまとめられる。
【表１】
2015071776.tif 000002
Ｅｎｇａｇｅ（商標）７２５６  ０．８８５ｇ／ｃｍ３、Ｉ２＝２．０ｇ／１０分
Ｅｎｇａｇｅ（商標）８１００  ０．８７０ｇ／ｃｍ３、Ｉ２＝１．０／ｇ／１０分
Ｖｅｒｓｉｆｙ（商標）２３００プロピレン−エチレンコポリマーＭＦＲ＝２；０．８
６６ｇ／ｃｍ３、Ｓｈｏｒｅ  Ａ８８、曲げ弾性率：３２（ＭＰａ）
ＤＦＤＢ  ５４５１ＮＴ  Ｓｉ−Ｌｉｎｋ（商標）エチレン−ビニルトリメトキシシラ
ンコポリマー、０．９３ｇ／ｃｍ３、Ｉ２＝１．５ｇ／１０分
ＤＦＤＢ  ５４８８ＮＴ  水分硬化性ポリマーを架橋するための周囲硬化又は促進硬化
のナチュラルＬＤＰＥ触媒マスターバッチ、Ｄｏｗ  Ｃｈｅｍｉｃａｌから入手可能
Ｄ９１００  ０．８７７ｇ／ｃｍ３、Ｉ２＝１ｇ／１０分
Ｅｎｇａｇｅ（商標）８４１１  ０．８８０ｇ／ｃｍ３、Ｉ２＝１８ｇ／１０分
【表２】
2015071776.tif 000003
【００２２】
結果は、４０％のエラストマーにおいてさえ、エチレンエラストマーを伴う本発明の組
成物が、ベースとなるシラン架橋可能な樹脂の引張り強さの少なくとも約８３％をもたら
すことを示す（Ｅｘ．４及びＥｘ．８をＣ．Ｓ．Ａ．と比較せよ）。さらに、エチレンエ
ラストマーの添加は、ベースとなるシラン架橋可能な樹脂と比較して、曲げ弾性率を低下
させた（すなわち、柔軟性を改善した）。Ｅｘ．４及びＥｘ．８をＣ．Ｓ．Ａ．と比較す
ることにより、コントロール樹脂の５５％及び４７％である２５Ｃでの曲げ弾性率がそれ
ぞれ示される。一層より大きい改善が−３０Ｃにおいて示され、それぞれの弾性率がコン
トロール樹脂の弾性率の４３％及び３７％である。ポリプロピレンエラストマー樹脂の添
加は、ポリオレフィンエラストマー樹脂よりも小さい程度にではあったが、引張り強さを
維持し、かつ、曲げ弾性率を低下させるという同じ傾向を示した。曲げ弾性率における低
下は予想され得るのに対して、このシラン系が、硬化速度、熱間硬化終点及び機械的性能
をかなりの程度まで維持することができることは、驚くべきことである。
【００２３】
実施例９〜実施例１４によって明らかにされるように、すべてのポリオレフィンエラス
トマーが、本発明の組成物及び方法において、等しく良好に機能するわけではなく、まし
てや、全く機能しないわけではない。しかしながら、本出願人らは、当業者は常法による
実験法を使用して、適切なエラストマーを、提供された指針及び実施例に基づいて選択す
ると考えている。
【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
導電性コアと、
導電性コアの外側における絶縁材の層とを含み、
前記絶縁材が、
ポリマー樹脂の総重量に基づいて少なくとも６０重量パーセントの少なくとも１つのシラン架橋可能なポリオレフィンポリマー樹脂であって、前記シラン架橋可能なポリオレフィンポリマーが、エチレンと、ビニルシランコモノマーとのコポリマーである樹脂と、
０．８９ｇ／ｃｍ３以下の密度、及び、５０ｇ／１０分よりも小さいメルトインデックス（Ｉ２）又はメルトフローレート（ＭＦＲ）を有し、少なくとも１つのメタロセン触媒を使用して調製されている、ポリマーの総重量に基づいて４０重量パーセントまでの量で存在する、ＥＮＧＡＧＥ（商標）エラストマー樹脂、ＥＸＡＣＴ（商標）ポリマー、ＴＡＦＭＥＲ（商標）ポリマー、及びＶｅｒｓｉｆｙ（商標）２３００プロピレンエチレンコポリマーからなる群から選択される少なくとも１つのポリオレフィンエラストマー樹脂とを含み、前記ポリオレフィンエラストマー樹脂が、シラン架橋可能なポリオレフィンポリマーと不混和性である、組成物を含む、ケーブル。
【請求項２】
前記少なくとも１つのポリオレフィンエラストマー樹脂が、前記ポリマーの総重量に基づいて少なくとも２０重量パーセントの量で存在する、請求項１に記載のケーブル。
【請求項３】
前記シラン架橋可能なポリオレフィンポリマーがエチレン−ビニルトリメトキシシランのコポリマーである、請求項１に記載のケーブル。
【請求項４】
前記組成物が、フィラー、難燃剤、顔料、酸化防止剤及び触媒の少なくとも１つをさらに含む、請求項１に記載のケーブル。
【請求項５】
前記少なくとも１つのポリオレフィンエラストマー樹脂が、前記組成物中の前記ポリマーの総重量に基づいて少なくとも３０重量パーセントの量で存在する、請求項１に記載のケーブル。
【請求項６】
前記少なくとも１つのポリオレフィンエラストマー樹脂が、ＥＮＧＡＧＥ（商標）７２５６エラストマー樹脂、ＥＮＧＡＧＥ（商標）８１００エラストマー樹脂、及びＥＮＧＡＧＥ（商標）８４１１エラストマー樹脂からなる群から選択される少なくとも１つのポリオレフィンエラストマー樹脂である、請求項１に記載のケーブル。
【手続補正２】
【補正対象書類名】明細書
【補正対象項目名】００２３
【補正方法】変更
【補正の内容】
【００２３】
実施例９〜実施例１４によって明らかにされるように、すべてのポリオレフィンエラストマーが、本発明の組成物及び方法において、等しく良好に機能するわけではなく、ましてや、全く機能しないわけではない。しかしながら、本出願人らは、当業者は常法による実験法を使用して、適切なエラストマーを、提供された指針及び実施例に基づいて選択すると考えている。
本発明は以下の態様を包含し得る。
［１］  ポリマー樹脂の総重量に基づいて少なくとも約６０重量パーセントの少なくとも１つのシラン架橋可能なポリオレフィンポリマー樹脂と、
約０．８９ｇ／ｃｍ３以下の密度と、約５０ｇ／１０分よりも小さいメルトインデックス（Ｉ２）とを有し、少なくとも１つのメタロセン触媒を使用して調製されている、ポリマーの総重量に基づいて約４０重量パーセントまでの量で存在する少なくとも１つのポリオレフィンポリマーエラストマー樹脂とを含む、組成物。
［２］  前記シラン架橋可能なポリオレフィンポリマーが、エチレンと、ビニルシランコモノマーとのコポリマーである、上記［１］に記載の組成物。
［３］  前記シラン架橋可能なポリオレフィンポリマーがエチレン−ビニルトリメトキシシランのコポリマーである、上記［１］に記載の組成物。
［４］  前記ポリオレフィンポリマーエラストマー樹脂が、前記ポリマーの総重量に基づいて少なくとも２０重量パーセントの量で存在する、上記［１］に記載の組成物。
［５］  前記ポリオレフィンポリマーエラストマー樹脂が、前記ポリマーの総重量に基づいて少なくとも３０重量パーセントの量で存在する、上記［１］に記載の組成物。
［６］  前記ポリオレフィンポリマーエラストマー樹脂が、前記ポリマーの総重量に基づいて約４０重量パーセントの量で存在する、上記［１］に記載の組成物。
［７］  前記ポリオレフィンポリマーエラストマー樹脂が約０．８８５ｇ／ｃｍ３以下の密度を有する、上記［１］に記載の組成物。
［８］  前記ポリオレフィンポリマーエラストマー樹脂が約１／１０分〜約４０／１０分の間でのメルトインデックス（Ｉ２）を有する、上記［１］に記載の組成物。
［９］  前記ポリオレフィンポリマーエラストマー樹脂が約１／１０分〜約３０／１０分の間でのメルトインデックス（Ｉ２）を有する、上記［１］に記載の組成物。
［１０］  フィラー、難燃剤、顔料、酸化防止剤及び触媒の少なくとも１つをさらに含む、上記［１］に記載の組成物。
［１１］  導電性コアと、
絶縁材が、ポリマー樹脂の総重量に基づいて少なくとも約６０重量パーセントの少なくとも１つのシラン架橋可能なポリオレフィンポリマー樹脂と、約０．８９ｇ／ｃｍ３以下の密度、及び、約５０ｇ／１０分よりも小さいメルトインデックス（Ｉ２）を有し、少なくとも１つのメタロセン触媒を使用して調製されている、ポリマーの総重量に基づいて約４０重量パーセントまでの少なくとも１つのポリオレフィンポリマーエラストマー樹脂とを含む組成物を含む、導電性コアの外側における絶縁材の層とを含む、ケーブル。
［１２］  前記シラン架橋可能なポリオレフィンポリマーが、エチレンと、ビニルシランコモノマーとのコポリマーである、上記［１１］に記載のケーブル。
［１３］  前記組成物のシラン架橋可能なポリオレフィンポリマーがエチレン−ビニルトリメトキシシランのコポリマーである、上記［１１］に記載のケーブル。
［１４］  前記組成物のポリオレフィンポリマーエラストマー樹脂が、前記ポリマーの総重量に基づいて少なくとも２０重量パーセントの量で存在する、上記［１１］に記載のケーブル。
［１５］  前記組成物のポリオレフィンポリマーエラストマー樹脂が、前記ポリマーの総重量に基づいて少なくとも３０重量パーセントの量で存在する、上記［１１］に記載のケーブル。
［１６］  前記組成物のポリオレフィンポリマーエラストマー樹脂が、前記ポリマーの総重量に基づいて約４０重量パーセントの量で存在する、上記［１１］に記載のケーブル。
［１７］  前記組成物のポリオレフィンポリマーエラストマー樹脂が約０．８８５ｇ／ｃｍ３以下の密度を有する、上記［１１］に記載のケーブル。
［１８］  前記組成物のポリオレフィンポリマーエラストマー樹脂が約１ｇ／１０分〜約４０ｇ／１０分の間でのメルトインデックス（Ｉ２）を有する、上記［１１］に記載のケーブル。
［１９］  前記組成物のポリオレフィンポリマーエラストマー樹脂が約１ｇ／１０分〜約３０ｇ／１０分の間でのメルトインデックス（Ｉ２）を有する、上記［１１］に記載のケーブル。
［２０］  前記組成物が、フィラー、難燃剤、顔料、酸化防止剤及び触媒の少なくとも１つをさらに含む、上記［１１］に記載のケーブル。

【外国語明細書】
2015071776000001.pdf